(57)【要約】      （修正有）【課題】加熱調理機器において、外部の通信装置と調理データを送受信する場合の利便性を向上させる。【解決手段】加熱調理機器は、高周波の照射により、調理対象を加熱調理するための加熱調理部５と、調理対象の調理手順を示す調理手順情報を記憶するための記憶部４と、外部の通信装置と通信するための通信機能を有する無線通信部２と、調理データ、および、調理データの更新状況を示す更新カウンタを、外部の通信装置から無線通信部２により受信し、受信時に、調理データを加熱調理機器１０へ送信するユーザに関するユーザ情報を取得し、取得したユーザ情報を、調理データと対応づけて記憶部３に記憶させる通信制御部１４とを含む。【選択図】図２
2014020586.tif 000002
【特許請求の範囲】
【請求項１】
加熱調理機器であって、
被加熱物を加熱調理するための加熱部と、
調理メニューそれぞれに対し、前記加熱調理の手順を示す少なくとも１つの調理データを記憶するための記憶部と、
外部の通信装置と通信するための通信機能を有する通信部と、
前記通信部による前記外部の通信装置との通信データの送受信を制御する通信制御部とを含み、
前記通信制御部は、前記調理データを前記外部の通信装置から前記通信部により受信した場合に、当該調理データを前記加熱調理機器へ送信するユーザに関する情報を取得し、取得した当該ユーザに関する情報を、当該調理データと対応づけて前記記憶部に記憶させる、
加熱調理機器。
【請求項２】
前記記憶部は、
前記調理データそれぞれについて、前記調理データの更新状況を示す更新フラグ情報を記憶するためのものであり、
前記通信制御部は、
前記通信部により受信した調理データの調理メニューが、前記記憶部に記憶されている調理メニューと同一である場合に、前記受信した調理データを、前記ユーザに関する情報と対応づけて記憶するとともに、前記調理データの更新フラグ情報を更新する、
請求項１記載の加熱調理機器。
【請求項３】
前記記憶部が記憶する前記更新フラグ情報は、カウンタ値であり、
前記通信制御部は、前記カウンタ値をカウントアップまたはカウントダウンすることにより、前記更新フラグ情報を更新する、
請求項２記載の加熱調理機器。
【請求項４】
前記外部の通信装置は、調理メニューに対応する調理データを、前記調理データの更新状況を示す通信装置側更新フラグ情報と対応づけて記憶しており、
前記通信装置側更新フラグ情報は、タイムスタンプ値であり、
前記外部の通信装置は、前記調理データの更新時点を示すタイムスタンプ値を、前記通信装置側更新フラグ情報として記憶しており、
前記加熱調理機器の前記記憶部が記憶する前記更新フラグ情報は、タイムスタンプ値であり、
前記通信制御部は、前記受信する調理データのタイムスタンプ値を、前記外部の通信装置から受信することにより、前記更新フラグ情報を更新する、
請求項２記載の加熱調理機器。
【請求項５】
前記記憶部は、前記調理データと、前記更新フラグ情報と、前記調理データのユーザによる評価値とを対応づけて記憶する、
請求項２記載の加熱調理機器。
【請求項６】
前記記憶部は、
前記調理データそれぞれについて、前記調理データの前記加熱調理機器における更新状況を示す機器側更新フラグ情報と、前記外部の通信装置における前記調理データの更新状況を示す通信装置側更新フラグ情報とを記憶するためのものであり、
前記通信制御部は、
前記通信部により受信した調理データの調理メニューが、前記記憶部に記憶されている調理メニューと同一である場合に、前記受信した調理データを、前記ユーザに関する情報と対応づけて記憶する、
請求項１記載の加熱調理機器。
【請求項７】
前記機器側更新フラグ情報および前記通信装置側更新フラグ情報は、カウンタ値であり、
前記外部の通信装置は、調理メニューに対応する調理データを、前記通信装置側更新フラグ情報と対応づけて記憶しており、カウントアップまたはカウントダウンすることにより前記通信装置側更新フラグ情報を更新し、
前記通信制御部は、前記調理データを前記外部の通信装置から受信した場合に、前記調理データの前記通信装置側更新フラグ情報を、前記通信部により受信し、受信した通信装置側更新フラグ情報を、前記調理データと対応づけて前記記憶部に記憶させる、
請求項２記載の加熱調理機器。
【請求項８】
前記通信制御部は、前記調理データを前記外部の通信装置から受信した場合に、前記機器側更新フラグ情報を、前記外部の通信装置へ送信する、
請求項７記載の加熱調理機器。
【請求項９】
前記外部の通信装置は、調理データ、および、当該調理データと対応づけられる更新フラグ情報を記憶しており、前記調理データを更新する都度、前記更新フラグ情報を更新するものであり、
前記加熱調理機器の前記通信制御部は、
前記外部の通信装置から受信する調理データが、前記記憶部において記憶されているものと一致する場合に、前記記憶されている調理データの更新フラグ情報と、前記受信する調理データに対応づけられる更新フラグ情報とを比較し、比較結果に基づいて、前記受信にかかる調理データを前記記憶部に記憶させる、または、前記記憶されている調理データを前記外部の通信装置へ送信する、
請求項２記載の加熱調理機器。
【請求項１０】
前記通信制御部は、
前記受信にかかる調理データの更新フラグ情報と、前記記憶されている調理データの更新フラグ情報とを比較し、更新状況が一致しない場合に、最新の更新状況の調理データを優先して前記加熱調理機器において記憶する、
請求項９記載の加熱調理機器。
【請求項１１】
前記通信制御部は、
前記受信にかかる調理データの更新フラグ情報と、前記記憶されている調理データの更新フラグ情報とを比較し、更新状況が一致しない場合に、ユーザから、いずれの調理データを優先するか操作を受け付け、受け付けた操作に応じて、前記加熱調理機器において前記調理データを記憶する、
請求項９記載の加熱調理機器。
【請求項１２】
前記更新フラグ情報とは、カウンタ値であり、
前記外部の通信装置は、前記外部の通信装置において保持される調理データを更新する都度、前記カウンタ値を更新し、
前記通信制御部は、前記受信にかかる調理データのカウンタ値と、前記記憶部に記憶されている調理データのカウンタ値とを比較し、比較結果に基づいて、前記調理データの記憶または前記外部の通信装置への送信を制御する、
請求項２記載の加熱調理機器。
【請求項１３】
通信装置と、加熱調理機器とからなる加熱調理システムであって、
前記通信装置は、
調理メニューそれぞれに対し、加熱調理の手順を示す少なくとも１つの調理データを、前記調理データの更新状況を示す更新フラグ情報と対応づけて記憶するための第１の記憶部と、
前記加熱調理機器と通信するための通信機能を有する第１の通信部と、
前記調理データを更新する都度、更新された調理データの前記更新フラグ情報を更新する調理データ管理部と、
前記調理データおよび前記更新フラグ情報を前記第１の通信部により前記加熱調理機器に送信する第１の通信制御部とを含み、
前記加熱調理機器は、
被加熱物を加熱調理するための加熱部と、
前記調理メニューそれぞれに対し、前記調理データを記憶するための第２の記憶部と、
前記通信装置と通信するための通信機能を有する第２の通信部と、
前記第２の記憶部に記憶される前記調理データに従って、前記調理部による加熱調理を実行する調理制御部と、
前記第２の通信部により、前記通信装置から受信した通信データを処理する通信制御部とを含み、
前記通信制御部は、前記調理データを前記通信装置から前記通信部により受信した場合に、当該調理データを前記加熱調理機器へ送信するユーザに関する情報を取得し、取得した当該ユーザに関する情報を、当該調理データと対応づけて前記第２の記憶部に記憶させる、
加熱調理システム。
【発明の詳細な説明】
【技術分野】
【０００１】
本発明は、加熱調理機器に関し、特に、調理データを管理するための技術に関する。
【背景技術】
【０００２】
従来より、加熱調理機器において、調理対象の料理（調理メニュー）に応じて加熱時間等を定めた調理データを、外部の通信機器と通信する技術が開示されている。これにより、加熱調理機器は、調理対象に応じて、多様な調理パターンを通信により取得することができる。
【０００３】
例えば、特開平１１−３０４１５９号公報（特許文献１）は、機種の異なる複数の電子レンジを、効果的に管理コンピュータにより通信管理するために、電子レンジと管理コンピュータとを直接接続せず、その中間にネットワークアダプタを設ける技術を開示する。特許文献１記載の技術によると、管理コンピュータから発信された調理シーケンス情報がネットワークアダプタに記憶され、必要に応じて電子レンジに送信されるため、管理コンピュータが、直接、電子レンジに通信する必要がなくなる。また、特許４１８８５２４号公報（特許文献２）は、電子レンジがインターネットに接続され、加熱制御データをインターネット経由で電子レンジに与える電子レンジシステムを開示する。
【先行技術文献】
【特許文献】
【０００４】
【特許文献１】特開平１１−３０４１５９号公報
【特許文献２】特許４１８８５２４号公報
【発明の概要】
【発明が解決しようとする課題】
【０００５】
ところで、１つの調理メニューに対し、調理パターンは１つとは限らず、複数ある場合がある。例えば、加熱時間が比較的長い調理パターンをユーザが好む場合がある。また、例えばユーザの体調の状態など、調理時のユーザの状態によっても、調理パターンが異なることが想定される。そのため、調理データは１つの調理メニューに対して複数存在しうる。この結果、ある調理メニューに対して複数の調理データが加熱調理機器に蓄積されうる。さらに、加熱調理機器に対し、複数の通信機器が調理データを通信する場合や、加熱調理機器においても調理データがユーザにより更新される場合もある。そのため、ユーザは、加熱調理機器から調理データを通信機器により読みだそうとした場合に、所望の調理データを選択することが困難になるおそれがある。
【０００６】
また、加熱調理機器は、予めタイマー等を設定して起動する場面が想定されておらず、時計機能を有していないことがある。この場合、加熱調理機器において調理データを更新したとしても、時計機能を有していないため、タイムスタンプを調理データに付加すること等により調理データをそれぞれ識別することもできず、ユーザが調理データの更新時期を参照して調理データを特定することも困難である。
【０００７】
そこで、本発明は、加熱調理機器において、調理データの管理に関するユーザの利便性を向上させる技術を提供することを目的とする。
【課題を解決するための手段】
【０００８】
一実施の形態に従う加熱調理機器は、被加熱物を加熱調理するための加熱部と、調理メニューそれぞれに対し、加熱調理の手順を示す少なくとも１つの調理データを記憶するための記憶部と、外部の通信装置と通信するための通信機能を有する通信部と、通信部により、外部の通信装置から受信した通信データを処理する通信制御部とを含む。通信制御部は、調理データを外部の通信装置から通信部により受信した場合に、調理データを加熱調理機器へ送信するユーザに関する情報を取得し、取得したユーザに関する情報を、調理データと対応づけて記憶部に記憶させる。
【０００９】
これにより、加熱調理機器が、ある調理メニューに対し、複数の外部の通信装置から調理データの登録を受けている場合に、それぞれの調理データがいずれのユーザのものであるかを識別することが容易になり、加熱調理機器の使いやすさが向上する。
【００１０】
好ましくは、記憶部は、調理データそれぞれについて、調理データの更新状況を示す更新フラグ情報を記憶するためのものであり、通信制御部は、通信部により受信した調理データの調理メニューが、記憶部に記憶されている調理メニューと同一である場合に、受信した調理データを、ユーザに関する情報と対応づけて記憶するとともに、調理データの更新フラグ情報を更新することとしてもよい。
【００１１】
これにより、同一の調理メニューに対し、異なる調理データを受信した場合に、各々の調理データを識別することができる。
【００１２】
好ましくは、記憶部が記憶する更新フラグ情報は、カウンタ値であり、通信制御部は、カウンタ値をカウントアップまたはカウントダウンすることにより、更新フラグ情報を更新することとしてもよい。
【００１３】
これにより、加熱調理機器が、時計機能など調理データを更新した時点を特定する手段を有していない場合にも、カウンタ値により調理データの更新状況を管理することができる。
【００１４】
好ましくは、外部の通信装置は、調理メニューに対応する調理データを、調理データの更新状況を示す通信装置側更新フラグ情報と対応づけて記憶しており、通信装置側更新フラグ情報は、タイムスタンプ値であり、外部の通信装置は、調理データの更新時点を示すタイムスタンプ値を、通信装置側更新フラグ情報として記憶しており、加熱調理機器の記憶部が記憶する更新フラグ情報は、タイムスタンプ値であり、通信制御部は、受信する調理データのタイムスタンプ値を、外部の通信装置から受信することにより、更新フラグ情報を更新することとしてもよい。
【００１５】
これにより、加熱調理機器が、時計機能など調理データを更新した時点を特定する手段を有していない場合にも、外部の通信装置の時計機能を用いて、調理データの更新状況を管理することができる。
【００１６】
好ましくは、記憶部は、調理データと、更新フラグ情報と、調理データのユーザによる評価値とを対応づけて記憶することとしてもよい。
【００１７】
これにより、ユーザは、調理の仕上がりを比べて記録することができる。
好ましくは、記憶部は、調理データそれぞれについて、調理データの加熱調理機器における更新状況を示す機器側更新フラグ情報と、外部の通信装置における調理データの更新状況を示す通信装置側更新フラグ情報とを記憶するためのものであり、通信制御部は、通信部により受信した調理データの調理メニューが、記憶部に記憶されている調理メニューと同一である場合に、受信した調理データを、ユーザに関する情報と対応づけて記憶することとしてもよい。
【００１８】
これにより、加熱調理機器と通信装置のそれぞれで調理データを更新する場合においても、ユーザは、加熱調理機器と通信装置のいずれで更新されたのかを確認することができる。
【００１９】
好ましくは、機器側更新フラグ情報および通信装置側更新フラグ情報は、カウンタ値であり、外部の通信装置は、調理メニューに対応する調理データを、通信装置側更新フラグ情報と対応づけて記憶しており、カウントアップまたはカウントダウンすることにより通信装置側更新フラグ情報を更新し、通信制御部は、調理データを外部の通信装置から受信した場合に、調理データの通信装置側更新フラグ情報を、通信部により受信し、受信した通信装置側更新フラグ情報を、調理データと対応づけて記憶部に記憶させることとしてもよい。
【００２０】
これにより、加熱調理機器と通信装置のそれぞれで調理データを更新する場合においても、加熱調理機器において調理データの更新状況を管理することができる。
【００２１】
好ましくは、通信制御部は、調理データを外部の通信装置から受信した場合に、機器側更新フラグ情報を、外部の通信装置へ送信することとしてもよい。
【００２２】
これにより、調理データの更新状況を、加熱調理機器と通信装置とで同期させることができ、ユーザの利便性が高まる。
【００２３】
好ましくは、外部の通信装置は、調理データ、および、調理データと対応づけられる更新フラグ情報を記憶しており、調理データを更新する都度、更新フラグ情報を更新するものであり、加熱調理機器の通信制御部は、外部の通信装置から受信する調理データが、記憶部において記憶されているものと一致する場合に、記憶されている調理データの更新フラグ情報と、受信する調理データに対応づけられる更新フラグ情報とを比較し、比較結果に基づいて、受信にかかる調理データを記憶部に記憶させる、または、記憶されている調理データを外部の通信装置へ送信することとしてもよい。
【００２４】
これにより、調理データを、加熱調理機器と外部の通信装置とで容易に同期させることができる。
【００２５】
好ましくは、通信制御部は、受信にかかる調理データの更新フラグ情報と、記憶されている調理データの更新フラグ情報とを比較し、更新状況が一致しない場合に、最新の更新状況の調理データを優先して加熱調理機器において記憶することとしてもよい。
【００２６】
これにより、最新の調理データを、加熱調理機器と外部の通信装置とで同期させることができる。
【００２７】
好ましくは、通信制御部は、受信にかかる調理データの更新フラグ情報と、記憶されている調理データの更新フラグ情報とを比較し、更新状況が一致しない場合に、ユーザから、いずれの調理データを優先するか操作を受け付け、受け付けた操作に応じて、加熱調理機器において調理データを記憶することとしてもよい。
【００２８】
これにより、ユーザの嗜好にあわせて、調理データを、加熱調理機器に記憶させることができる。
【００２９】
好ましくは、更新フラグ情報とは、カウンタ値であり、外部の通信装置は、外部の通信装置において保持される調理データを更新する都度、カウンタ値を更新し、通信制御部は、受信にかかる調理データのカウンタ値と、記憶部に記憶されている調理データのカウンタ値とを比較し、比較結果に基づいて、調理データの記憶または外部の通信装置への送信を制御することとしてもよい。
【００３０】
これにより、加熱調理機器に時計などの機能がない場合においても、調理データの更新状況を管理することができる。
【００３１】
一実施の形態に従う加熱調理システムは、通信装置と、加熱調理機器とからなる。通信装置は、調理メニューそれぞれに対し、加熱調理の手順を示す少なくとも１つの調理データを、調理データの更新状況を示す更新フラグ情報と対応づけて記憶するための第１の記憶部と、加熱調理機器と通信するための通信機能を有する第１の通信部と、調理データを更新する都度、更新された調理データの更新フラグ情報を更新する調理データ管理部と、調理データおよび更新フラグ情報を第１の通信部により加熱調理機器に送信する第１の通信制御部とを含む。加熱調理機器は、被加熱物を加熱調理するための加熱部と、調理メニューそれぞれに対し、調理データを記憶するための第２の記憶部と、通信装置と通信するための通信機能を有する第２の通信部と、第２の記憶部に記憶される調理データに従って、調理部による加熱調理を実行する調理制御部と、第２の通信部により、通信装置から受信した通信データを処理する通信制御部とを含み、通信制御部は、調理データを通信装置から通信部により受信した場合に、当該調理データを加熱調理機器へ送信するユーザに関する情報を取得し、取得した当該ユーザに関する情報を、当該調理データと対応づけて第２の記憶部に記憶させる。
【００３２】
これにより、加熱調理機器が、ある調理メニューに対し、複数の外部の通信装置から調理データの登録を受けている場合に、それぞれの調理データがいずれのユーザのものであるかを識別することが容易になり、加熱調理機器の使いやすさが向上する。
【発明の効果】
【００３３】
上記一実施の形態によれば、調理データの管理に関するユーザの利便性を向上させることができる。
【００３４】
この発明の上記および他の目的、特徴、局面および利点は、添付の図面と関連して理解されるこの発明に関する次の詳細な説明から明らかとなるであろう。
【図面の簡単な説明】
【００３５】
【図１】本実施形態における加熱調理機器１０、通信機器６０を含む通信システムを示す図である。
【図２】加熱調理機器１０の構成を示す機能ブロック図である。
【図３】通信機器６０の構成を示す機能ブロック図である。
【図４】加熱調理機器１０において記憶される調理手順情報２１を示す図である。
【図５】通信機器６０から加熱調理機器１０へ調理手順情報２１を送信する処理を示すフローチャートである。
【図６】加熱調理機器１０が通信機器６０から調理手順情報２１を受信し、調理データを同期させる処理を示すフローチャートである。
【図７】通信機器６０から加熱調理機器１０へと調理手順情報２１が送信され、ユーザに関する情報と対応づけて加熱調理機器１０において記憶される過程を示す図である。
【図８】加熱調理機器１０と通信機器６０とで調理手順情報２１が更新される過程を示す図である。
【図９】調理データが加熱調理機器１０で更新された場合に、ユーザの選択を受け付けて調理データを同期させる際の表示部６の表示例を示す図である。
【図１０】調理データが通信機器６０で更新された場合に、ユーザの選択を受け付けて調理データを同期させる際の表示部６の表示例を示す図である。
【図１１】調理データの更新内容の履歴を保持する場合の、調理手順情報２１を示す図である。
【図１２】調理データの更新履歴を表示部６に表示する場合の表示例を示す図である。
【図１３】調理データについて、ユーザの評価内容を記憶する場合の調理手順情報２１を示す図である。
【図１４】調理データについて、ユーザの評価内容を含めて表示部６に表示する場合の表示例を示す図である。
【発明を実施するための形態】
【００３６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３７】
＜１  構成＞
図１は、本実施形態における加熱調理機器１０、通信機器６０を含む通信システムを示す図である。通信システムは、加熱調理機器１０および通信機器６０からなる加熱調理システムを含む。
【００３８】
＜１．１  全体の構成＞
通信システムでは、サーバ群７０（調理データ提供サーバ７０Ａ、調理データ共有サーバ７０Ｂ、サーバ７０）や、無線基地局４０や、無線ＬＡＮルーター３０が、ネットワーク５０により相互に通信可能に接続されている。サーバ群７０の各サーバは、必要なデータを管理してサービスを提供する。調理データ提供サーバ７０Ａは、加熱調理機器１０に用いられる調理データを配布しているサーバである。調理データ共有サーバ７０Ｂは、ユーザが生成した調理データなどを、他のユーザ同士で共有するためのサービスを提供するサーバである。例えば、ユーザは、通信機器６０を用いて調理データ共有サーバ７０Ｂへアクセスし、調理データを調理データ共有サーバ７０Ｂへ投稿する。サーバ７０は、その他、所定のデータを管理するサーバである。
【００３９】
図１では、通信機器６０の例として、通信機器６０Ａと、通信機器６０Ｂとを示している。通信機器６０（通信機器６０Ａ、通信機器６０Ｂ）は、無線ＬＡＮ（Local Area Network）規格等に対応し、無線通信により無線ＬＡＮルーター３０等と接続してネットワーク５０を経由してサーバ群７０の各サーバと通信可能である。例えば、通信機器６０は、調理データ提供サーバ７０Ａへネットワーク５０を経由してアクセスし、調理データをダウンロードする。
【００４０】
通信機器６０Ａは、ハンドヘルドサイズの情報通信端末である。通信機器６０Ａは、無線基地局４０と無線通信しており、パケット通信が可能である。通信機器６０Ｂは、タブレット型の情報通信端末であり、無線ＬＡＮルーター３０と無線ＬＡＮ規格により通信する。
【００４１】
加熱調理機器１０は、調理データに従って被加熱物を加熱し、調理する機器である。加熱調理機器１０は、図１に示すように、表示部６と、操作部７とを含む。表示部６は、ディスプレイにおいて情報を表示する。操作部７は、加熱調理機器１０の制御により、ユーザからの操作を受け付ける。詳しくは後述する。
【００４２】
＜１．２  加熱調理機器１０の構成＞
次に、本実施形態における加熱調理機器１０、通信機器６０の構成について、図面を用いて説明する。
【００４３】
図２は、加熱調理機器１０の構成を示す機能ブロック図である。
図２に示すように、加熱調理機器１０は、無線通信部２と、制御部３と、記憶部４と、加熱調理部５と、表示部６と、操作部７とを含む。
【００４４】
無線通信部２は、無線通信を行うために、信号の変調、信号の復調などを行う。無線通信部２は、無線ＬＡＮ通信処理部１１と、赤外線通信処理部１２とを含む。無線ＬＡＮ通信処理部１１は、ＩＥＥＥ８０２．１１規格など無線ＬＡＮ規格に対応し、加熱調理機器１０から送信するデータの変調、加熱調理機器１０が受信するデータの復調、アンテナ（図示しない）における信号の送受信などを行う。また、無線ＬＡＮ通信処理部１１は、無線ＬＡＮアクセスポイントとして機能する。外部の通信機器６０は、無線ＬＡＮのアクセスポイントとして加熱調理機器１０を検出する。
【００４５】
赤外線通信処理部１２は、ＩｒＤＡ規格などの赤外線通信規格に対応して、赤外線による加熱調理機器１０のデータの送受信を行う。
【００４６】
記憶部４は、ＲＯＭ（Read Only Memory）、ＲＡＭ（Random Access Memory）等により構成され、加熱調理機器１０で用いるデータを記憶する。記憶部４は、後述するように、調理手順を示す調理手順情報２１を、ユーザに関する情報と対応づけて記憶する。図２では、ユーザに関する情報ごとに、調理手順情報２１Ａ、調理手順情報２１Ｂとして記憶部４に記憶されている例を示している。
【００４７】
加熱調理部５は、加熱調理機器１０の加熱室（図示しない）内に高周波を照射するための高周波照射部１５を含み、調理対象に対して高周波照射部１５により高周波を照射することにより、加熱調理する。
【００４８】
表示部６は、加熱調理機器１０の筺体に設けられるディスプレイであり、ユーザに対し情報を表示する。
【００４９】
操作部７は、加熱調理機器１０の筺体に設けられる操作ボタンであり、ユーザからの操作を受け付ける。
【００５０】
制御部３は、ＭＣＵ（Micro Control Unit）等を含み、無線通信部２、加熱調理部５等の動作を制御して、外部の通信機器６０との調理手順情報２１の送受信や、加熱調理機器１０による加熱調理を制御する。制御部３は、調理制御部１３と、通信制御部１４とを含む。調理制御部１３は、調理手順情報２１に従って、加熱調理部５の高周波照射部１５の出力を制御して調理対象を加熱調理する。通信制御部１４は、通信シーケンスに従って、無線ＬＡＮ通信処理部１１や赤外線通信処理部１２により、外部の通信機器６０とデータを送受信する。これらの動作は後述する。
【００５１】
＜１．３  通信機器６０の構成＞
図３は、通信機器６０の構成を示す機能ブロック図である。
【００５２】
図３に示すように、通信機器６０は、無線通信部６１と、記憶部６２と、制御部６３と、表示部６４と、操作部６５とを含む。
【００５３】
無線通信部６１は、無線通信を行うために、信号の変調、信号の復調などを行う。無線通信部６１は、無線ＬＡＮ通信処理部７１と、赤外線通信処理部７２とを含む。無線ＬＡＮ通信処理部７１は、ＩＥＥＥ８０２．１１規格など無線ＬＡＮ規格に対応し、通信機器６０から送信するデータの変調、通信機器６０が受信するデータの復調、アンテナ（図示しない）における信号の送受信などを行う。赤外線通信処理部７２は、ＩｒＤＡ規格などの赤外線通信規格に対応して、赤外線による通信機器６０のデータの送受信を行う。なお、図３では図示していないが、通信機器６０は、無線ＬＡＮ通信処理部７１、赤外線通信処理部７２以外にも、所定の通信方式に対応して、無線基地局４０と無線通信を行う。
【００５４】
記憶部６２は、ＲＯＭ、ＲＡＭ等により構成され、通信機器６０で用いるデータを記憶する。記憶部６２は、通信アプリケーション８１と、調理手順情報８２と、ユーザ情報８３とを記憶している。通信アプリケーション８１は、通信機器６０が加熱調理機器１０と通信して調理手順情報２１を送受信するためのアプリケーションである。通信アプリケーション８１は、例えば、調理データ提供サーバ７０Ａを管理している管理者が、アプリケーションを配布するためのアプリケーションプラットフォームを運営し、このプラットフォームを通じて通信機器６０に調理手順情報２１がダウンロードされる。調理手順情報８２は、加熱調理機器１０における加熱調理の手順を示す情報である。詳しくは後述する。調理手順情報８２の各レコードは、加熱調理機器１０で記憶される調理手順情報２１と同様のフィールドを有する。
【００５５】
ユーザ情報８３は、通信機器６０を使用するユーザに関する情報である。ユーザ情報８３は、例えば、通信機器６０において割り当てられている電話番号や、通信機器６０で使用されているメールアドレス、通信機器６０のユーザ名である。また、ユーザ情報８３は、例えば、通信機器６０の通信手段に関する情報で、機器を特定できるもの（例えば、通信機器６０のＭＡＣアドレス、通信機器６０のＩＰアドレス、通信機器６０の機種コード）である。
【００５６】
表示部６４は、通信機器６０の筺体に設けられるディスプレイであり、ユーザに対し情報を表示する。
【００５７】
操作部６５は、通信機器６０の筺体に設けられる、タッチパネル等の操作部材であり、ユーザからの操作を受け付ける。
【００５８】
制御部６３は、ＭＣＵ等を含み、無線通信部６１等の動作を制御して、加熱調理機器１０との調理手順情報８２の送受信を制御する。制御部３は、調理データ管理部７３と、通信制御部７４とを含む。調理データ管理部７３は、調理手順情報８２の更新状況を管理する。通信制御部７４は、通信シーケンスに従って、無線ＬＡＮ通信処理部７１や赤外線通信処理部７２により、加熱調理機器１０とデータを送受信する。これらの動作は後述する。
【００５９】
＜２  データ＞
次に、本実施形態の加熱調理機器１０で用いるデータについて、図面を用いて説明する。
【００６０】
図４は、加熱調理機器１０において記憶される調理手順情報２１を示す図である。図４に示すように、調理手順情報２１のレコードは、調理メニュー２１Ｔと、調理データ２１Ｐと、更新カウンタ２１Ｑとを含む。
【００６１】
調理メニュー２１Ｔは、加熱調理機器１０による調理対象のメニューを示しており、メニューの名称と、メニューを識別する識別コードと、ユーザが設定できるメニューについてのフリータイトルとを含む。
【００６２】
調理データ２１Ｐは、調理手順（高周波照射部１５の出力、および、高周波照射部１５による照射時間）を含む。更新カウンタ２１Ｑ（更新フラグ）は、調理データ２１Ｐの更新状況を示しており、図４において「（装置）」は、通信機器６０側で調理データ２１Ｐが更新された回数のカウンタ値を示し、「（本体）」は、加熱調理機器１０側で調理データ２１Ｐが更新された回数のカウンタ値を示す。例えば、加熱調理機器１０において調理手順情報２１が更新された場合、更新カウンタ２１Ｑの「（本体）」のカウンタ値が増分される。
【００６３】
図４に示すように、加熱調理機器１０では、調理手順情報２１（調理データ２１Ｐおよび更新カウンタ２１Ｑ）を、加熱調理機器１０や通信機器６０を識別する機器ＩＤ２１Ｍと対応づけて記憶部４において記憶する。図４では、加熱調理機器１０と対応づけた調理手順情報２１を、調理手順情報２１Ｚとして示している。同様に、加熱調理機器１０は、通信装置６０を識別する情報と対応づけて、調理手順情報２１Ａ、調理手順情報２１Ｂ、調理手順情報２１Ｃ、・・として調理手順情報２１を記憶する。
【００６４】
このように、調理メニュー２１Ｔに示す調理メニュー（「カレー」、「冷凍ピラフ」など）それぞれは、複数の調理データ２１Ｐを含んでおり、調理データ２１Ｐは、それぞれ、ユーザに関する情報（図４の例では、機器ＩＤ）と対応づけられている。また、調理データ２１Ｐおよび更新カウンタ２１Ｑとが対応づけられて記憶される。これらにより、ユーザは、ユーザに対応する調理データを、調理データの更新状況を参照しつつ、加熱調理機器１０から容易に読みだすことができる。
【００６５】
＜３  実施の形態１における動作＞
次に、本実施形態の加熱調理機器１０および通信機器６０の動作について、図面を用いて説明する。
【００６６】
＜３．１  通信機器６０から加熱調理機器１０への調理データの送信処理＞
図５は、通信機器６０から加熱調理機器１０へ調理手順情報２１を送信する処理を示すフローチャートである。
【００６７】
ステップＳ５０において、通信機器６０の通信制御部７４は、記憶部６２から通信アプリケーション８１を読み出して起動する。
【００６８】
ステップＳ５２において、通信制御部７４は、通信アプリケーション８１の処理により、無線ＬＡＮアクセスポイントとして加熱調理機器１０を検出する。
【００６９】
ステップＳ５４において、通信制御部７４は、通信アプリケーション８１の処理により、無線ＬＡＮアクセスポイントとして検出された加熱調理機器１０と、無線ＬＡＮ規格に従って通信接続を確立する。
【００７０】
ステップＳ５６において、通信制御部７４は、通信アプリケーション８１の処理により、通信プロトコルに従って、ユーザ情報８３（例えば、ユーザが所有する通信機器６０のＩＰアドレスなど）をパケットのヘッダや送信データに含めて、調理手順情報２１を加熱調理機器１０へ送信するなどの通信を行う。
【００７１】
ステップＳ５８において、通信制御部７４は、通信アプリケーション８１の処理により、調理手順情報２１の送信を完了すると、加熱調理機器１０との通信接続を終了する。
【００７２】
＜３．２  加熱調理機器１０における調理データの受信処理＞
次に、加熱調理機器１０の動作について、説明する。加熱調理機器１０は、通信機器６０から調理データを受信し、ユーザと対応づけて記憶する。このとき、既に加熱調理機器１０において記憶済みの調理データを受信した場合は、加熱調理機器１０は、加熱調理機器１０と通信機器６０それぞれにおける調理データの更新状況を比較し、いずれかを選択する操作をユーザから受け付ける。加熱調理機器１０は、ユーザの選択操作に応じて、調理データを加熱調理機器１０と通信機器６０とで同期させる。
【００７３】
図６は、加熱調理機器１０が通信機器６０から調理手順情報２１を受信し、調理データを同期させる処理を示すフローチャートである。
【００７４】
ステップＳ６０において、加熱調理機器１０の通信制御部１４は、通信機器６０の無線ＬＡＮアクセスポイントとして通信機器６０と通信接続を確立する。
【００７５】
ステップＳ６２において、通信制御部１４は、通信プロトコルに従って通信機器６０から送信されるデータを受信し、パケットのヘッダなどを参照して、通信機器６０のユーザに関する情報（例えば、ユーザが所有する通信機器６０のＩＰアドレスなど）を抽出する。
【００７６】
ステップＳ６４において、通信制御部１４は、通信プロトコルに従って、通信機器６０から調理手順情報２１を受信する。
【００７７】
ステップＳ６６において、通信制御部１４は、ステップＳ６２で抽出した、ユーザに関する情報に基づいて、そのユーザについて記憶部４で記憶済みの調理手順情報２１を受信したか判断する。
【００７８】
通信制御部１４は、ユーザについて、既に記憶部４において記憶済みの調理手順情報２１を通信機器６０から受信した場合は（ステップＳ６６：ＹＥＳ）、ステップＳ６８に進み、受信した調理手順情報２１に含まれる更新カウンタ２１Ｑと、既に記憶済みの調理手順情報２１の更新カウンタ２１Ｑとを比較する。通信制御部１４は、更新カウンタ２１Ｑの（装置）のカウンタ値と、（本体）のカウンタ値の少なくともいずれかが一致しない場合は、表示部６に、既に記憶済みの調理手順情報２１の調理データ２１Ｐと、受信した調理手順情報２１に含まれる調理データ２１Ｐとを表示して、ユーザがいずれを選択するか、操作を受け付ける。
【００７９】
ステップＳ７２において、通信制御部１４は、ステップＳ６８でのユーザの選択操作を操作部７により受け付けて、ユーザの選択結果に応じて、選択された調理手順情報２１を加熱調理機器１０と通信機器６０とで同期させる。例えば、ステップＳ６８において、加熱調理機器１０の記憶部４で既に記憶されている調理手順情報２１をユーザが選択した場合は、通信制御部１４は、通信機器６０のユーザに対応して、記憶部４に記憶されている調理手順情報２１を通信機器６０へ送信する。また、例えば、ステップＳ６８において、通信機器６０から受信した調理手順情報２１をユーザが選択した場合は、通信制御部１４は、受信した調理手順情報２１を、ユーザに関する情報と対応づけて記憶部４に記憶させる。
【００８０】
ステップＳ６６では、通信制御部１４は、加熱調理機器１０の記憶内容と通信機器６０の送信内容との比較において、更新カウンタ２１Ｑの（装置）のカウンタ値と、（本体）のカウンタ値との組が一致するか判断し、一致する場合は、調理手順情報２１が加熱調理機器１０と通信機器６０とのいずれにおいても更新されていないことを示すため、ステップＳ６８におけるユーザの選択操作の受付や、ステップＳ７２におけるユーザの選択結果に応じた同期処理を行わず、処理を終える。
【００８１】
通信制御部１４は、ユーザについて、未だ記憶部４において記憶されていない調理手順情報２１を通信機器６０から受信した場合は（ステップＳ６６：ＮＯ）、ステップＳ７０に進み、受信した調理手順情報２１を、ユーザに関する情報と対応づけて記憶部４に記憶させる。
【００８２】
図７は、通信機器６０から加熱調理機器１０へと調理手順情報２１が送信され、ユーザに関する情報と対応づけて加熱調理機器１０において記憶される過程を示す図である。
【００８３】
図７に示すように、通信装置それぞれ（通信機器６０Ａ、通信機器６０Ｂ、・・）が、調理手順情報８２を保持しており、通信機器６０から加熱調理機器１０へと調理手順情報８２が送信される。加熱調理機器１０では、記憶部４において、ユーザに関する情報（図７では、装置Ａ、装置Ｂ、・・として示す）と対応づけて、調理手順情報２１として記憶する（調理手順情報２１Ａ、調理手順情報２１Ｂ、・・）。
【００８４】
図８は、加熱調理機器１０と通信機器６０とで調理手順情報２１が更新される過程を示す図である。
【００８５】
図８に示すように、加熱調理機器１０または通信機器６０で調理手順情報２１または調理手順情報８２が更新されると、更新カウンタ２１Ｑのカウンタ値がカウントアップされて保持される。そして、加熱調理機器１０は、図６のステップＳ６６において、既に加熱調理機器１０の記憶部４で記憶されている調理手順情報２１の調理メニューと同一の調理メニューを含む調理手順情報８２を通信機器６０から受信した場合は、更新カウンタ２１Ｑのカウンタ値を比較して、調理手順情報２１の更新状況に応じて調理手順情報２１を加熱調理機器１０と通信機器６０とで同期させる。
【００８６】
＜３．３  ユーザによる調理データの選択を受け付けるための表示部６での表示例＞
ステップＳ６８において、調理手順情報２１の選択をユーザから受け付ける場合の表示部６の表示例を説明する。
【００８７】
図９は、調理データが加熱調理機器１０で更新された場合に、ユーザの選択を受け付けて調理データを同期させる際の表示部６の表示例を示す図である。この場合、加熱調理機器１０は、（ｉ）通信機器６０からの調理データの受信を中止するか、（ｉｉ）通信機器６０からの調理データの受信を中止するとともに、加熱調理機器１０で更新された調理データを通信機器６０へ送信することでデータを同期させるか、（ｉｉｉ）加熱調理機器１０での調理データの更新状況にかかわらず、通信機器６０から受信する調理データを優先するか、ユーザの選択を操作部７により受け付ける。
【００８８】
図９に示すように、通信制御部１４は、表示部６において、説明文表示領域９１に、ユーザへの説明文を表示する。
【００８９】
図９の例では、加熱調理機器１０で調理データが更新されていることを説明文表示領域９１で表示している。
【００９０】
選択肢表示領域９２は、ユーザの選択操作を受け付けるため、選択肢を表示する領域である。図９に示すように、（ｉ）通信機器６０からの調理データの受信を中止するか、（ｉｉ）通信機器６０からの調理データの受信を中止するとともに、加熱調理機器１０で更新された調理データを通信機器６０へ送信することでデータを同期させるか、（ｉｉｉ）加熱調理機器１０での調理データの更新状況にかかわらず、通信機器６０から受信する調理データを優先するか、選択肢表示領域９２に表示する。加熱調理機器１０は、選択肢表示領域９２に表示された選択肢をユーザが選択する操作を、操作部７により受け付ける。
【００９１】
受信内容表示領域９３は、ステップＳ６４において通信機器６０から受信した調理データの内容を表示するための領域である。記憶内容表示領域９４は、加熱調理機器１０の記憶部４で記憶されている調理データの内容を表示するための領域である。
【００９２】
図１０は、調理データが通信機器６０で更新された場合に、ユーザの選択を受け付けて調理データを同期させる際の表示部６の表示例を示す図である。この場合、加熱調理機器１０は、（ｉ）記憶部４に記憶されている調理データを、通信機器６０から受信したものに置き換えるか、（ｉｉ）記憶部４の記憶内容を優先するか、ユーザからの選択操作を受け付ける。
【００９３】
図１０の例では、通信機器６０で調理データが更新されており、加熱調理機器１０の記憶部４に記憶させるか確認することを説明文表示領域９１で表示している。
【００９４】
選択肢表示領域９２は、上述の通り、（ｉ）記憶部４に記憶されている調理データを、通信機器６０から受信したものに置き換えるか、（ｉｉ）記憶部４の記憶内容を優先するか、ユーザに選択肢を表示するための領域である。
【００９５】
＜４  変形例＞
以上のように、一実施の形態について説明してきたが、以下のように変形することもできる。
【００９６】
＜４．１  調理データの更新内容の履歴を保持＞
調理手順情報２１において、調理データ２１Ｐが加熱調理機器１０または通信機器６０で更新される都度、過去の更新内容の履歴を調理手順情報２１で保持することとしてもよい。
【００９７】
図１１は、調理データの更新内容の履歴を保持する場合の、調理手順情報２１を示す図である。図１１に示すように、加熱調理機器１０は、ユーザが調理データ２１Ｐを更新する都度、更新カウンタ２１Ｑをカウントアップし、調理手順情報２１にレコードが追加される。なお、カウンタ値の更新は、カウントダウンによりなされることとしてもよい。
【００９８】
この場合、加熱調理機器１０は、調理開始の際に、調理データの過去の更新内容の履歴を表示部６に表示して、ユーザから調理データを選択する操作を受け付けることとしてもよい。図１２は、調理データの更新履歴を表示部６に表示する場合の表示例を示す図である。図１２の例では、図１１の調理手順情報２１において、通信機器６０の履歴を３件、加熱調理機器１０の履歴を１件、表示している。
【００９９】
図１２に示すように、加熱調理機器１０は、表示部６において、通信装置側履歴表示領域９５に、通信機器６０での調理データの更新履歴（調理データ９５Ａ、９５Ｂ、９５Ｃ）を表示する。調理データ９５Ａは、図１１の調理手順情報２１Ａの、更新カウンタ２１Ｑが「０００２」のレコードに対応している。調理データ９５Ｂは、同様に、調理手順情報２１Ａの更新カウンタ２１Ｑが「０００１」のレコードに対応し、調理データ９５Ｃは、更新カウンタ２１Ｑが「００００」のレコードに対応している。加熱調理機器１０は、更新カウンタ２１Ｑを参照することで、調理データ２１Ｐのレコードが更新された回数を取得する。
【０１００】
加熱調理機器１０は、表示部６において、本体側履歴表示領域９６に、加熱調理機器１０での調理データの、直近の更新内容を表示する。調理データ９６Ａは、図１１の調理手順情報２１Ｚの、更新カウンタ２１Ｑが「０００２」のレコードに対応している。
【０１０１】
これにより、ユーザは、過去の調理データを参照して加熱調理機器１０により調理することができる。
【０１０２】
＜４．２  調理データのユーザ評価を保持＞
調理手順情報２１において、調理データの過去の更新内容の履歴を保持することに加え、それぞれの調理データのユーザの評価を記憶することとしてもよい。
【０１０３】
図１３は、調理データについて、ユーザの評価内容を記憶する場合の調理手順情報２１を示す図である。図１３に示すように、調理データの各レコードは、ユーザの評価内容を示す評価情報２１Ｒをさらに含む。評価情報２１Ｒは、ユーザの評価内容を、例えば３段階（図１３の例では、高評価を示す「○」、中程度の評価を示す「△」、低評価を示す「×」の３段階）で保持する。
【０１０４】
図１４は、調理データについて、ユーザの評価内容を含めて表示部６に表示する場合の表示例を示す図である。図１４の例では、加熱調理機器１０は、高評価の調理データを優先して、表示部６に表示している。加熱調理機器１０は、通信装置側履歴表示領域９７に、通信機器６０での調理データの更新履歴（調理データ９７Ａ、９７Ｂ）を、ユーザの評価とともに表示する。加熱調理機器１０は、本体側履歴表示領域９８に、加熱調理機器１０での調理データの更新履歴（調理データ９８Ａ）を表示する。未表示の調理データは、スクロール操作等のユーザ操作を操作部７により受け付けることで表示する。
【０１０５】
これにより、ユーザは、好みの調理データを容易に認識することができる。
なお、加熱調理機器１０は、調理手順情報２１を表示部６へ表示する際に、高評価のものを抽出して順に表示することとしてもよいし、調理手順情報２１の各レコードを、評価情報２１Ｒの評価コードに基づいて、並び替えをして、各レコードを順に読みだすこととしてもよい。
【０１０６】
＜４．３  調理データの送受信方法＞
上記の実施形態の説明では、通信機器６０から加熱調理機器１０へ調理データを送信するために、通信機器６０が加熱調理機器１０を無線ＬＡＮアクセスポイントとして検出する場合を説明したが、この他の通信方式に従ってデータを送信することとしてもよい。例えば、ＩｒＤＡ（赤外線通信）、Bluetooth（登録商標）、ＮＦＣ（Near Field Communication）などの近距離無線通信により、通信機器６０と加熱調理機器１０とでデータを送受信することとしてもよい。また、例えば、通信機器６０と加熱調理機器１０とが、共通の無線ＬＡＮアクセスポイントに接続することで、通信機器６０と加熱調理機器１０とでデータ通信することとしてもよい。
【０１０７】
＜４．４  通信機器６０のタイムスタンプ値を保持＞
通信機器６０から加熱調理機器１０へ調理データを送信する際、通信機器６０は、調理データにタイムスタンプ値を付加して送信することとしてもよい。通信機器６０は、時計機能を有しており、通信機器６０における調理データの取得時や調理データの更新時に、タイムスタンプを取得して調理データと対応づけて記憶する。これにより、加熱調理機器１０が、時計機能など調理データを更新した時点を特定する手段を有していない場合にも、通信装置６０の時計機能を用いて、調理データの更新状況を管理することができる。
【０１０８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１０９】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０１１０】
２  無線通信部、３  制御部、４  記憶部、５  加熱調理部、６  表示部、７  操作部、１０  加熱調理機器、１１  無線ＬＡＮ通信処理部、１２  赤外線通信処理部、１３  調理制御部、１４  通信制御部、１５  高周波照射部、２１  調理手順情報、３０  無線ＬＡＮルーター、４０  無線基地局、５０  ネットワーク、６０  通信機器、６１  無線通信部、６２  記憶部、６３  制御部、６４  表示部、６５  操作部、７０  サーバ群、７１  無線ＬＡＮ通信処理部、７２  赤外線通信処理部、７３  調理データ管理部、７４  通信制御部、８１  通信アプリケーション、８２  調理手順情報、８３  ユーザ情報、９１  説明文表示領域、９２  選択肢表示領域、９３  受信内容表示領域、９４  記憶内容表示領域、９５  通信装置側履歴表示領域、９６  本体側履歴表示領域、９７  通信装置側履歴表示領域、９８  本体側履歴表示領域。
【図１】
2014020586.tif 000003
【図２】
2014020586.tif 000004
【図３】
2014020586.tif 000005
【図４】
2014020586.tif 000006
【図５】
2014020586.tif 000007
【図６】
2014020586.tif 000008
【図７】
2014020586.tif 000009
【図８】
2014020586.tif 000010
【図９】
2014020586.tif 000011
【図１０】
2014020586.tif 000012
【図１１】
2014020586.tif 000013
【図１２】
2014020586.tif 000014
【図１３】
2014020586.tif 000015
【図１４】
2014020586.tif 000016